(57)【要約】【課題】ユーザにとって使い勝手のよい操作装置を提供する。【解決手段】操作ユニットは、画像形成装置に備えられ、表示パネルとタッチパネルとを含む、タッチパネルディスプレイ１２２を含む操作装置である。表示パネルは、制御部の制御のもとで、ＵＩ画面として、機能を設定するための複数の設定キーを含む通常ＵＩ２００、又は、通常ＵＩ２００で設定可能な機能の一部の機能を設定するための設定キーを含む簡単ＵＩ３００を表示する。制御部は、ユーザの操作に応答して、表示パネルに表示されるＵＩ画面を、通常ＵＩ２００及び簡単ＵＩ３００の一方から他方に切替える。制御部はさらに、ＵＩ画面の切替前に設定されている機能があるか否かを判定し、判定結果に応じて、機能の設定を保持したままＵＩ画面を切替える。【選択図】図７
2018147512.tif 000002
【特許請求の範囲】
【請求項１】
制御対象装置に備えられる操作装置であって、
前記制御対象装置で実行される処理に関する情報を表示するための表示手段と、
前記表示手段に表示される情報に対する操作指示入力を受付けるための入力受付手段と、
前記入力受付手段が受付けた操作指示入力によって設定可能な複数の項目を含む第１の操作画面、又は前記複数の項目のうちの一部の項目を含む第２の操作画面を表示するよう、前記表示手段を制御するための表示制御手段と、
ユーザによる指示入力を受付けたことに応答して、前記表示制御手段を制御して、前記表示手段に表示されている操作画面を、前記第１の操作画面または前記第２の操作画面の一方の操作画面から他方の操作画面に切替えるための表示切替手段とを含み、
前記表示制御手段は、前記第２の操作画面に表示される前記制御対象装置の実行開始を受付ける開始キーを、前記第1の操作画面で前記制御対象装置の実行開始を受付ける開始キーとは異なる態様で表示する様に前記表示手段を制御する、操作装置。
【請求項２】
前記表示手段は、前記第２の操作画面に、前記制御対象装置の実行開始の操作指示入力を受付ける開始キー、及び、当該開始キーに重ねて実行開始を示す文字列を表示し、かつ、前記第２の操作画面を表示するときには、当該第２の操作画面の前記開始キーを前記第１の操作画面で前記制御対象装置の実行開始の操作指示入力を受付ける開始キーより大きく表示し、
前記表示制御手段は、前記第２の操作画面から前記第１の操作画面に表示を切換えたことに応答して、前記実行開始を示す文字列を削除するよう前記表示手段の表示を制御する、請求項１に記載の操作装置。
【請求項３】
前記表示切替手段によって表示が切替えられる前に設定されていた項目があるか否かを判定するための判定手段と、
前記判定手段の判定結果に応じて、前記表示切替手段により表示が切替えられた後の操作画面において、前記設定されていた項目の設定状態を保持するための設定保持手段とをさらに含む、請求項１または２に記載の操作装置。
【請求項４】
前記判定手段は、前記第１の操作画面において、前記複数の項目のうち前記第２の操作画面に含まれない項目が設定されたか否かを判定するための手段を含み、
前記表示制御手段は、前記第１の操作画面から前記第２の操作画面に表示が切替えられたときに、前記判定するための手段の判定結果に応じて、前記複数の項目のうち前記第２の操作画面に含まれない項目が設定されていること示す態様で当該第２の操作画面を表示するよう前記表示手段を制御するための手段を含む、請求項３に記載の操作装置。
【請求項５】
前記第２の操作画面が表示されている状態において、前記複数の項目のうち当該第２の操作画面に含まれない項目の設定のみを解除するための解除手段をさらに含む、請求項４に記載の操作装置。
【請求項６】
前記第１の操作画面及び前記第２の操作画面は、それぞれ、操作画面の表示を切替える際にユーザに操作される操作項目を含み、
前記表示切替手段は、ユーザにより前記操作項目が操作されたことに応答して、前記表示制御手段を制御して、前記表示手段に表示されている操作画面を、前記第１の操作画面及び前記第２の操作画面の一方の操作画面から他方の操作画面に切替えるための手段を含む、請求項１〜請求項５のいずれかに記載の操作装置。
【請求項７】
前記判定手段は、前記第１の操作画面及び前記第２の操作画面で共通する項目が、前記表示切替手段によって表示が切替えられる前に設定されていたか否かを判定するための手段を含み、
前記設定保持手段は、前記判定するための手段の判定結果に応じて、前記表示切替手段により表示が切替えられた後の操作画面において、前記設定されていた共通する項目の設定状態を保持するための手段を含む、請求項３に記載の操作装置。
【請求項８】
請求項１〜請求項７のいずれかに記載の操作装置を含む、電子機器。
【請求項９】
請求項１〜請求項７のいずれかに記載の操作装置を含む、画像形成装置。
【発明の詳細な説明】
【技術分野】
【０００１】
本発明は、操作装置、並びに、操作装置を備える電子機器及び画像形成装置に関し、特に、操作装置の使い勝手を改善するための技術に関する。
【背景技術】
【０００２】
情報処理装置の１種として、多くの事業所（会社、事務所等）に画像形成装置（代表的にはコピー機）が導入されている。このような画像形成装置の１つである複合機（ＭＦＰ（Ｍｕｌｔｉｆｕｎｃｔｉｏｎ  Ｐｅｒｉｐｈｅｒａｌ））のように、コピーモード、画像通信モード（代表的にはファクシミリモード）、ネットワーク対応のプリントモード、及びスキャナモードのような複数のモードを有するものも多くなってきている。
【０００３】
こうした情報処理装置には、各種機能及びパラメータ等を設定するための操作部と、ジョブの進行状況等を表示するための表示部とを含む操作装置が備えられる。また近年、情報処理装置においては機能の増加が著しい。機能が追加されると、それに伴い操作装置のユーザインターフェイス（以下「ＵＩ」と呼ぶ。）の構成が煩雑になる。情報処理装置を使い慣れていないユーザにとっては、構成が煩雑なＵＩは使いにくいことがある。
【０００４】
ＵＩは誰にとっても使いやすいことが理想である。使う人をある程度限定すれば、こうしたＵＩを実現しやすい。しかし、例えば複合機等の情報処理装置は、機能が豊富でさまざまな処理ができるためユーザ層が広い。この場合、使う人を限定することが困難なため、誰にとっても使いやすいＵＩを実現することが困難となる。
【０００５】
そこで従来、一人でも多くのユーザに使いやすいＵＩを提供するために、複数のＵＩを用意し、自分に適したＵＩをユーザに選択してもらう方法が提案されている。
【０００６】
後掲の特許文献１には、こうした方法を採用した通信装置が記載されている。特許文献１の通信装置は、メニュー表示を行なう表示ユニット、及び、メニュー表示を通常メニューと簡単メニューとの間で切替える簡単キーを含む。通常メニューには、通信関連動作で選択可能なほぼ全ての態様（機能）が列挙されている。簡単メニューには、通信関連動作で選択可能な全態様（全機能）のうち所定の態様（機能）が列挙されている。通常メニューは高機能を要求するユーザ向けのメニューであり、簡単メニューは単機能で十分なユーザ向けのメニューである。簡単キーは、通常メニュー及び簡単メニューのどちらを表示ユニットに表示させるかを予め設定するためのキーである。待機画面が表示されている状態で例えばファクシミリ送信キーが押下されると、簡単キーのオン／オフの状態に応じて、簡単メニュー又は通常メニューが表示ユニットに表示される。ユーザは、簡単キーを操作して表示メニューを予め設定しておくことで、自分に適したメニューを表示させることができる。
【先行技術文献】
【特許文献】
【０００７】
【特許文献１】特開２００３−５１９０３号公報
【発明の概要】
【発明が解決しようとする課題】
【０００８】
特許文献１の通信装置では、通常メニュー又は簡単メニューのいずれかをユーザに予め選択させる。どちらのメニューを選んでよいか分からないと、ユーザは混乱してしまう。単機能で十分と思い簡単メニューを選択したものの、簡単メニューには所望の機能がないこともある。さらに通常メニューを選択したものの、通常メニューでは機能が多すぎて使いにくいということもある。すなわち、予め選択したメニューがそのユーザに適したメニューでない場合がある。
【０００９】
こうした場合、特許文献１では、一旦待機画面に戻ってメニューを切替え、その後、切替えたメニューを表示させる必要がある。このような操作は、ユーザにとって煩雑で手間がかかる。加えて、ユーザは切替えた後のメニューにおいて最初から設定等を行なう必要がある。そのため、特許文献１の通信装置は、ユーザにとって必ずしも使い勝手がよいとはいえない。
【００１０】
本発明は、上記のような課題を解決するためになされたものであり、本発明の１つの目的は、ユーザにとって使い勝手のよい操作装置、並びに、操作装置を備える電子機器及び画像形成装置を提供することである。
【課題を解決するための手段】
【００１１】
本発明の第１の局面に係る操作装置は、制御対象装置に備えられる操作装置である。この操作装置は、制御対象装置で実行される処理に関する情報を表示するための表示手段と、表示手段に表示される情報に対する操作指示入力を受付けるための入力受付手段と、入力受付手段が受付けた操作指示入力によって設定可能な複数の項目を含む第１の操作画面、又は複数の項目のうちの一部の項目を含む第２の操作画面を表示するよう、表示手段を制御するための表示制御手段と、ユーザによる指示入力を受付けたことに応答して、表示制御手段を制御して、表示手段に表示されている操作画面を、第１の操作画面または第２の操作画面の一方の操作画面から他方の操作画面に切替えるための表示切替手段とを含む。表示制御手段は、第２の操作画面に表示される制御対象装置の実行開始を受付ける開始キーを、第１の操作画面で制御対象装置の実行開始を受付ける開始キーとは異なる態様で表示する様に表示手段を制御する。
【００１２】
本操作装置では、ユーザによる指示入力を受付けたことに応答して、表示されている操作画面が、第１の操作画面または第２の操作画面の一方の操作画面から他方の操作画面に切替えられる。ユーザがいずれの画面を選んでよいか分からない場合でも、操作画面を容易に切替えることができるので、当該ユーザに適した操作画面を容易に選択できる。
【００１３】
好ましくは、表示手段は、第２の操作画面に、制御対象装置の実行開始の操作指示入力を受付ける開始キー、及び、当該開始キーに重ねて実行開始を示す文字列を表示し、かつ、第２の操作画面を表示するときには、当該第２の操作画面の開始キーを第１の操作画面で制御対象装置の実行開始の操作指示入力を受付ける開始キーより大きく表示し、表示制御手段は、第２の操作画面から第１の操作画面に表示を切換えたことに応答して、実行開始を示す文字列を削除するよう前記表示手段の表示を制御する。
【００１４】
より好ましくは、表示切替手段によって表示が切替えられる前に設定されていた項目があるか否かを判定するための判定手段と、判定手段の判定結果に応じて、前記表示切替手段により表示が切替えられた後の操作画面において、前記設定されていた項目の設定状態を保持するための設定保持手段とをさらに含む。
【００１５】
さらに好ましくは、判定手段は、第１の操作画面において、複数の項目のうち第２の操作画面に含まれない項目が設定されたか否かを判定するための手段を含み、表示制御手段は、第１の操作画面から第２の操作画面に表示が切替えられたときに、判定するための手段の判定結果に応じて、複数の項目のうち第２の操作画面に含まれない項目が設定されていることを示す態様で当該第２の操作画面を表示するよう表示手段を制御するための手段を含む。
【００１６】
さらに好ましくは、操作装置は、第２の操作画面が表示されている状態において、複数の項目のうち当該第２の操作画面に含まれない項目の設定のみを解除するための解除手段をさらに含む。
【００１７】
さらに好ましくは、第１の操作画面及び第２の操作画面は、それぞれ、操作画面の表示を切替える際にユーザに操作される操作項目を含み、表示切替手段は、ユーザにより操作項目が操作されたことに応答して、表示制御手段を制御して、表示手段に表示されている操作画面を、第１の操作画面及び第２の操作画面の一方の操作画面から他方の操作画面に切替えるための手段を含む。
【００１８】
さらに好ましくは、判定手段は、第１の操作画面及び第２の操作画面で共通する項目が、表示切替手段によって表示が切替えられる前に設定されていたか否かを判定するための手段を含み、設定保持手段は、判定するための手段の判定結果に応じて、表示切替手段により表示が切替えられた後の操作画面において、設定された共通する項目の設定状態を保持するための手段を含む。
【００１９】
本発明の第２の局面に係る電子機器は、上記第１の局面に係る操作装置を含む電子機器である。
【００２０】
本発明の第３の局面に係る画像形成装置は、上記第１の局面に係る操作装置を含む画像形成装置である。
【発明の効果】
【００２１】
以上より、本発明によれば、ユーザにとって使い勝手のよい操作装置、並びに、操作装置を備える電子機器及び画像形成装置を得ることができる。
【図面の簡単な説明】
【００２２】
【図１】本発明の第１の実施の形態に係る画像形成装置のハードウェア構成を示す制御ブロック図である。
【図２】図１に示す画像形成装置の操作ユニットに表示されるＵＩ画面（通常ＵＩ）の一例を示す図である。
【図３】図２のＵＩ画面（通常ＵＩ）における他の画面例を示す図である。
【図４】図１に示す画像形成装置の操作ユニットに表示されるＵＩ画面（簡単ＵＩ）の一例を示す図である。
【図５】図１に示す画像形成装置で実行されるプログラムの制御構造を示すフローチャートである。
【図６】図５のステップＳ１０１０の詳細なフローである。
【図７】操作ユニットに表示されるＵＩ画面の切替動作を説明するための図である。
【図８】本発明の第２の実施の形態に係る画像形成装置の操作ユニットに表示されるＵＩ画面（簡単ＵＩ）の一例を示す図である。
【図９】図８のＵＩ画面における他の画面例を示す図である。
【図１０】操作ユニットに表示されるＵＩ画面の切替動作を説明するための図である。
【図１１】本発明の第３の実施の形態に係る画像形成装置の操作ユニットに表示されるＵＩ画面（簡単ＵＩ）の一例を示す図である。
【図１２】本発明の第４の実施の形態に係る画像形成装置の操作ユニットに表示されるＵＩ画面（簡単ＵＩ）の一例を示す図である。
【図１３】本発明の第５の実施の形態に係る画像形成装置で実行されるプログラムの制御構造を示すフローチャートである。
【図１４】図１３のステップＳ２０１０の詳細なフローである。
【発明を実施するための形態】
【００２３】
以下の実施の形態では、同一の部品には同一の参照番号を付してある。それらの機能及び名称も同一である。したがって、それらについての詳細な説明は繰返さない。以下では、情報処理装置の１種である画像形成装置に本発明を適用した例について説明する。
【００２４】
（第１の実施の形態）
図１を参照して、本実施の形態に係る画像形成装置１００は、コピー機能、及びプリンタ機能等を備える複合機（ＭＦＰ）である。この画像形成装置１００は、レーザー光を露光に利用する、所謂レーザー方式（電子写真方式）の印刷機能を備える。しかし、他の形式の印刷機能を備えたものであってもよい。
【００２５】
画像形成装置１００は、コピーモード、スキャナモード、及びファクシミリモード等の複数の動作モードを持つ。画像形成装置１００は、ユーザによっていずれかの動作モードが設定されることで、設定された動作モードに対応する各種ジョブを実行する。
【００２６】
［ハードウェア構成］
画像形成装置１００は、制御部１１０、操作ユニット１２０、原稿読取部１３０、画像処理部１４０、画像形成部１５０、給紙部１６０、ネットワークインターフェイス（以下「ネットワークＩ／Ｆ」と呼ぶ。）１７０、及びＦＡＸ通信部１８０を含む。
【００２７】
制御部１１０は、実質的にコンピュータであって、画像形成装置１００全体を制御するＣＰＵ（Ｃｅｎｔｒａｌ  Ｐｒｏｃｅｓｓｉｎｇ  Ｕｎｉｔ）１１２、プログラム等を記憶するためのＲＯＭ（Ｒｅａｄ  Ｏｎｌｙ  Ｍｅｍｏｒｙ）１１４、揮発性の記憶装置であるＲＡＭ（Ｒａｎｄｏｍ  Ａｃｃｅｓｓ  Ｍｅｍｏｒｙ）１１６、及び記憶装置１１８を含む。記憶装置１１８は、通電が遮断された場合にもデータを保持する不揮発性記憶装置であり、ハードディスクドライブ（ＨＤＤ）及びフラッシュメモリを含む。ＣＰＵ１１２には、ＢＵＳライン１９０が接続されており、このＢＵＳライン１９０には、ＲＯＭ１１４、ＲＡＭ１１６及び記憶装置１１８が電気的に接続される。
【００２８】
ＣＰＵ１１２は、操作ユニット１２０等からの指示に応じて各種コンピュータプログラムを実行することによって、画像形成装置１００の各部の動作及び情報処理装置等の外部機器との通信等の所望の処理を実行する。上記の各種コンピュータプログラムは、予めＲＯＭ１１４又は記憶装置１１８に記憶されており、所望の処理の実行時において、当該ＲＯＭ１１４又は記憶装置１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、記憶装置１１８及びＣＰＵ１１２内のレジスタ等の、命令によって指定されるアドレスに格納される。
【００２９】
記憶装置１１８には、画像形成装置１００の一般的な動作等を実現するためのコンピュータプログラムが記憶される。このコンピュータプログラムは、ネットワークＩ／Ｆ１７０を介して、外部の情報処理装置等から提供される。なお、このコンピュータプログラムは、そのコンピュータプログラムが記録された、例えばＤＶＤ等の記憶媒体によって提供されてもよい。すなわち、例えばコンピュータプログラムの記録媒体としてのＤＶＤが、画像形成装置１００内に内蔵されるＤＶＤドライブ（図示せず。）に装着され、そのＤＶＤからコンピュータプログラムが読出されて記憶装置１１８にインストールされてもよい。記憶装置１１８は、他に、画像データ等を含む各種データを記憶する。
【００３０】
ＢＵＳライン１９０には、さらに、操作ユニット１２０、原稿読取部１３０、画像処理部１４０、画像形成部１５０、給紙部１６０、ネットワークＩ／Ｆ１７０、及びＦＡＸ通信部１８０が電気的に接続される。
【００３１】
操作ユニット１２０はユーザによる操作を受付ける。この操作ユニット１２０は、タッチパネルディスプレイ１２２を含む。タッチパネルディスプレイ１２２は、液晶パネル等で構成された表示パネル１２４と、表示パネル１２４の上に配置され、タッチされた位置を検出するタッチパネル１２６とを含む。表示パネル１２４は、画像形成装置１００の状態及び各種処理の状態に関する情報等の各種情報をユーザに提供する。このタッチパネルディスプレイ１２２は、ユーザに対して対話的な操作インターフェイス（ＵＩ）を提供する。この対話的な操作インターフェイスは、タッチパネル１２６から画像形成装置１００全体の動作に対するユーザの指示を受付け、その指示の内容を表示パネル１２４に表示するとともに、その指示に応じた制御信号を制御部１１０等に対して出力する。
【００３２】
例えば、表示パネル１２４には、複数の動作モードから所望の動作モードを選択するためのホーム画面（図示せず。）、画像形成装置１００の現在の状態、ＦＡＸ送信先指定状況、及びジョブの処理状況等が表示される。表示パネル１２４の表示動作はＣＰＵ１１２によって制御される。表示パネル１２４の表示領域上にはソフトウェアキーが表示される。このソフトウェアキーをユーザが指で押すと、タッチパネル１２６がその押された位置を検出する。ＣＰＵ１１２は、プログラム上でソフトウェアキーの表示位置とタッチパネルが押された位置とを照合し、その照合結果に基づいて、動作モードの選択、各種機能及びパラメータの設定、並びに動作指示等を行なう。
【００３３】
操作ユニット１２０はさらに、ハードウェアキーからなるホームキー（図示せず。）を含む。ホームキーは、ホーム画面への移行指示を行なうためのキーである。例えば、ユーザによってホームキーが操作されると、表示パネル１２４（タッチパネルディスプレイ１２２）にはホーム画面が表示される。ホーム画面に対するユーザの操作によって、複数の動作モードの中から１つの動作モードが選択されると、タッチパネルディスプレイ１２２には、選択された動作モードの操作画面（ＵＩ画面）が表示される。
【００３４】
ＵＩ画面は、動作モード毎に複数用意されている。複数のＵＩ画面は、通常のＵＩ画面である通常ＵＩと、通常ＵＩよりも操作が分かりやすい簡単ＵＩとを含む。通常ＵＩは、選択された動作モードの全ての機能を設定することが可能なフル機能のＵＩ画面である。通常ＵＩは、選択された動作モードの機能を設定するための複数のソフトウェアキーを含む。
【００３５】
一方、簡単ＵＩは、シンプルかつ簡単な操作が可能なＵＩ画面である。簡単ＵＩは、選択された動作モードの全ての機能のうちの所定の機能（一部の機能）のみを設定することが可能となっている。すなわち、簡単ＵＩでは設定可能な機能が制限されている。この簡単ＵＩは、選択された動作モードの機能のうちの所定の機能（一部の機能）を設定するためのソフトウェアキーを含む。本画像形成装置１００は、ユーザの指示に応じて、通常ＵＩから簡単ＵＩに、又は簡単ＵＩから通常ＵＩに任意のタイミングでＵＩ画面を切替えることが可能に構成されている。さらに本画像形成装置１００は、機能が設定された後にＵＩ画面が切替えられた場合、切替前の設定を切替後も保持するよう構成されている。
【００３６】
原稿読取部１３０は、スキャナ及びＣＣＤ（Ｃｈａｒｇｅ−Ｃｏｕｐｌｅｄ  Ｄｅｖｉｃｅ）ラインセンサ（以上いずれも図示せず。）を含む。スキャナは、原稿載置台上に載置された原稿の画像表面に対し光源（図示せず。）から光を照射することによって得られる反射光像をＣＣＤラインセンサ上に結像させ、光源を移動させながら原稿をスキャンする。ＣＣＤラインセンサは、結像した反射光像を順次光電変換して画像データとして画像処理部１４０に対して出力する。すなわち、原稿読取部１３０は、原稿のコピー時又はスキャン時に、原稿載置台に載置される原稿からスキャナによって画像情報を読取り、読取った画像情報をＣＣＤラインセンサによって電気信号に変換して画像データとして画像処理部１４０に対して出力する。
【００３７】
画像処理部１４０は、ＭＰＵ（Ｍｉｃｒｏ  Ｐｒｏｃｅｓｓｉｎｇ  Ｕｎｉｔ、図示せず。）を含む。画像処理部１４０は、原稿読取部１３０、又は、情報処理装置等から受信した画像データに対して、例えば、ラスタライズ処理等の所定の画像処理を含む各種処理を施して所定の階調の印刷データを作成し、画像形成部１５０に対して出力する。
【００３８】
画像形成部１５０は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１５０には、例えば、搬送路が設けられており、給紙部１６０から給紙されてきた記録用紙が搬送路に沿って搬送される。
【００３９】
給紙部１６０は、複数枚（例えば約５００枚）の記録用紙を収納可能なカセットトレイ（図示せず。）を含む。給紙部１６０は、カセットトレイに収納された記録用紙に載置された記録用紙を１枚ずつ引出して記録用紙を画像形成部１５０の搬送路へと送り出す。画像形成部１５０の搬送路に沿って記録用紙が搬送されている途中で、記録用紙が感光体ドラムと転写装置との間を通過し、さらに定着装置を通過して、記録用紙に対する印刷が行なわれる。
【００４０】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００４１】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は排紙トレイに排出される。
【００４２】
ネットワークＩ／Ｆ１７０は、ネットワーク５０とのインターフェイスをとる。画像形成装置１００は、このネットワークＩ／Ｆ１７０を介して、ネットワーク５０上の情報処理装置等と、所定の通信プロトコルにしたがったデータ通信を行なうことができる。画像形成装置１００は、ネットワークＩ／Ｆ１７０を介して、情報処理装置から印刷ジョブ等の各種処理の実行を命令する命令信号を受信できる。
【００４３】
ＦＡＸ通信部１８０は、電話回線網６０に接続され、この電話回線網６０を介してファクシミリ通信を行なうためのインターフェイスである。画像形成装置１００は、ＦＡＸ通信部１８０及び電話回線網６０を介して外部のファクシミリ装置（図示せず。）とＦＡＸ送受信することができる。
【００４４】
［ＵＩ画面の構成］
以下、選択された動作モードがコピーモードの場合を例にして、タッチパネルディスプレイ１２２に表示される通常ＵＩ及び簡単ＵＩについて説明する。
【００４５】
図２を参照して、通常ＵＩ２００は、モノクロコピー印刷を開始するための「モノクロ」キー２１０、カラーコピー印刷を開始するための「カラー」キー２１２、プレビュー画像を表示するための「プレビュー」キー２１４、及び設定を解除等するための「リセット」キー２１６を含む。通常ＵＩ２００はさらに、コピーモードで利用可能な各種機能を設定するための複数のソフトウェアキー（設定キー）を含む。これらの設定キーが操作されると、操作された設定キーに対応する機能が設定される。図２では、これら設定キーは、それぞれ、「設定Ａ」キー２２０、「設定Ｂ」キー２２２、「設定Ｃ」キー２２４、「設定Ｄ」キー２２６、「設定Ｅ」キー２２８、及び「その他」キー２３０として簡略化して示されている。
【００４６】
「設定Ａ」キー２２０〜「設定Ｅ」キー２２８は、利用頻度が比較的高い機能を設定するためのソフトウェアキーである。「設定Ａ」キー２２０は例えばコピー部数を設定するためのソフトウェアキーであり、「設定Ｂ」キー２２２は例えば両面コピー／片面コピーを設定するためのソフトウェアキーである。「設定Ｃ」キー２２４は例えばカラーモードを設定するためのソフトウェアキーであり、「設定Ｄ」キー２２６は例えばコピー濃度を設定するためのソフトウェアキーであり、「設定Ｅ」キー２２８は例えば倍率を設定するためのソフトウェアキーである。これら以外の機能は「その他」キー２３０の操作によって設定される。
【００４７】
図３を参照して、「その他」キー２３０が操作されると、他の機能を設定するための設定キーを含む画面２５０がポップアップ表示される。図３では、画面２５０内に複数の設定キーが表示された例が示されている。なお、図３では、これら複数の設定キーは、「設定Ｆ」キー２３２、「設定Ｇ」キー２３４、「設定Ｈ」キー２３６、「設定Ｉ」キー２３８、「設定Ｊ」キー２４０、及び「設定Ｋ」キー２４２として簡略化して示されている。これらの設定キー２３２〜２４２（「設定Ｆ」キー２３２〜「設定Ｋ」キー２４２）によって設定される機能は、例えば、ページ集約、ソート、排紙トレイ選択、中綴じ、地紋印字、及びブック複製等の機能を含む。
【００４８】
再び図２を参照して、通常ＵＩ２００はさらに、タッチパネルディスプレイ１２２に表示されるＵＩ画面を、通常ＵＩから簡単ＵＩに切替えるための「切替」キー２６０を含む。
【００４９】
図４を参照して、簡単ＵＩ３００は、基本機能をシンプルにまとめた見やすいＵＩ画面である。簡単ＵＩ３００は、コピー印刷を開始するための「コピー開始」キー３１０、及び設定を解除等するための「リセット」キー３１２を含む。簡単ＵＩ３００はさらに、コピーモードで利用可能な機能のうちの一部の機能（例えば基本機能）を設定するためのソフトウェアキー（設定キー）を含む。これらの設定キーが操作されると、操作された設定キーに対応する機能が設定される。図４では、これら設定キーは、それぞれ、「設定Ａ」キー３２０、「設定Ｂ」キー３２２、及び「設定Ｃ」キー３２４として簡略化して示されている。「設定Ａ」キー３２２、「設定Ｂ」キー３２４、及び「設定Ｃ」キー３２６は、それぞれ、通常ＵＩ２００の「設定Ａ」キー２２０、「設定Ｂ」キー２２４、及び「設定Ｃ」キー２２６と同じ機能を持つ。簡単ＵＩ３００はさらに、タッチパネルディスプレイ１２２に表示されるＵＩ画面を、簡単ＵＩから通常ＵＩに切替えるための「切替」キー３３０を含む。
【００５０】
通常ＵＩ２００及び簡単ＵＩ３００におけるカラーモードの設定では、「自動」、「フルカラー」、「モノクロ」、又は「２色カラー」等を設定することが可能である。「自動」に設定されると、画像形成装置１００は、原稿の色を自動的に判定し、原稿がカラーであればフルカラーで、白黒であれば黒１色でコピー印刷を実行する。「フルカラー」に設定されると、画像形成装置１００は、イエロー、マゼンタ、シアン、黒の４色全ての色のトナーを使ってフルカラーでコピー印刷を実行する。「モノクロ」に設定されると、画像形成装置１００は、原稿の色にかかわらず白黒でコピー印刷を実行する。「２色カラー」に設定されると、画像形成装置１００は、指定された２色でコピー印刷を実行する。簡単ＵＩ３００においては、カラーモードはデフォルトとして例えば「自動」に設定されている。したがって、カラーモードの設定が変更されていない状態では、簡単ＵＩ３００の「コピー開始」キー３１０が操作されると、原稿の色に応じてカラーコピー印刷又はモノクロコピー印刷が実行される。
【００５１】
［ソフトウェア構成］
図５を参照して、選択された動作モードの操作におけるユーザの使い勝手を向上するために、画像形成装置１００で実行されるコンピュータプログラムの制御構造について説明する。以下では、選択された動作モードがコピーモードの場合について説明する。
【００５２】
このプログラムは、ホーム画面に対するユーザの操作によって、複数の動作モードの中から１つの動作モード（コピーモード）が選択されたことに応じて開始する。このプログラムは、タッチパネルディスプレイ１２２にＵＩ画面を表示するステップＳ１０００を含む。本実施の形態では、ホーム画面からコピーモードが選択されたことに応答して、タッチパネルディスプレイ１２２に通常ＵＩ２００が表示されるよう予め設定されているものとする。そのため、ステップＳ１０００では、タッチパネルディスプレイ１２２に通常ＵＩ２００が表示される。なお、通常ＵＩ２００に代えて簡単ＵＩ３００が表示される構成であってもよい。さらに、通常ＵＩ２００及び簡単ＵＩ３００のどちらを表示させるかをユーザが選択できる構成であってもよい。
【００５３】
このプログラムはさらに、ステップＳ１０００の後に実行され、操作ユニット１２０に対するユーザの操作に応じて処理を実行するステップＳ１０１０を含む。図６は、図５のステップＳ１０１０の詳細なフローである。図６を参照して、このルーチンは、操作ユニット１２０に対してユーザが操作指示入力を行なうまで待機し、操作指示入力が行なわれるとその操作指示入力を受付けて当該操作指示入力の種類を判定するステップＳ１１００を含む。この判定の結果に応じて、制御構造は図６に示すように分岐する。
【００５４】
このルーチンはさらに、表示されているＵＩ画面において機能の設定を行なう指示入力（設定変更）を受付けたことに応答して、当該機能の設定処理を行なうステップＳ１１１０を含む。ステップＳ１１１０の処理が終了するとこのルーチンは終了する。
【００５５】
このルーチンはさらに、ＵＩ画面を切替える切替指示の入力（ＵＩ切替）を受付けたことに応答して、タッチパネルディスプレイ１２２に表示されているＵＩ画面を他のＵＩ画面に切替えるステップＳ１１２０と、ステップＳ１１２０の後に実行され、ＵＩ画面の切替前に機能の設定がされていたか否かを判定し判定結果に応じて制御の流れを分岐させるステップＳ１１３０と、ステップＳ１１３０において、機能の設定がされていたと判定された場合に実行され、当該機能の設定を保持し、このルーチンを終了するステップＳ１１４０とを含む。ステップＳ１１３０において、機能の設定がされていないと判定された場合もこのルーチンは終了する。
【００５６】
このルーチンはさらに、コピー開始の指示入力を受付けたことに応答して、コピー印刷処理を実行するステップＳ１１５０と、ステップＳ１１５０の後に実行され、コピー印刷が終了したか否かを判定し、コピー印刷が終了するまで待機するステップＳ１１６０とを含む。ステップＳ１１６０において、コピー印刷が終了したと判定された場合は、このルーチンは終了する。このルーチンはさらに、ステップＳ１１００において、ユーザによる操作指示入力がホーム画面への移行指示の入力（ホームキーの操作）であると判定された場合も終了する。
【００５７】
再び図５を参照して、このプログラムはさらに、ステップＳ１０１０の後に実行され、ホーム画面への移行指示の入力（ホームキーの操作）を受付けた否かを判定し、判定結果に応じて制御の流れを分岐させるステップＳ１０２０を含む。ステップＳ１０２０において、ホーム画面への移行指示の入力を受付けていないと判定された場合は、制御はステップＳ１０１０に戻り、ユーザによる次の操作指示入力が行なわれるまで待機する。
【００５８】
このプログラムはさらに、ステップＳ１０２０において、ホーム画面への移行指示の入力を受付けたと判定された場合に実行され、タッチパネルディスプレイ１２２の表示画面をホーム画面に移行させるステップＳ１０３０と、ステップＳ１０３０の後に実行され、機能の設定をデフォルト状態に戻す（設定をリセットする）ステップＳ１０４０とを含む。ステップＳ１０４０の処理が終了すると、このプログラムは終了する。
【００５９】
［動作］
本実施の形態に係る画像形成装置１００は以下のように動作する。以下の説明では、画像形成装置１００の動作の内、本発明に関連する部分のみを説明する。他の動作は従来の画像形成装置の動作と同様である。
【００６０】
ホーム画面に対するユーザの操作によって、複数の動作モードの中からコピーモードが選択されたものとする。画像形成装置１００は、コピーモードのＵＩ画面として、タッチパネルディスプレイ１２２に通常ＵＩ２００（図２参照）を表示する（ステップＳ１０００）。
【００６１】
通常ＵＩ２００の「切替」キー２６０がユーザによって操作されると、画像形成装置１００は、タッチパネルディスプレイ１２２に表示されているＵＩ画面を通常ＵＩ２００から簡単ＵＩ３００（図４参照）に切替える（ステップＳ１１２０）。同様に、簡単ＵＩ３００の「切替」キー３３０がユーザによって操作されると、画像形成装置１００は、タッチパネルディスプレイ１２２に表示されているＵＩ画面を簡単ＵＩ３００から通常ＵＩ２００に切替える（ステップＳ１１２０）。
【００６２】
図７を参照して、例えば通常ＵＩ２００において「設定Ｂ」キー２２２が操作され、「設定Ｂ」キー２２２に対応する機能が設定（ステップＳ１１１０）されたものとする。そして、通常ＵＩ２００の「切替」キー２６０がユーザによって操作されると、画像形成装置１００は、タッチパネルディスプレイ１２２に表示されているＵＩ画面を通常ＵＩ２００から簡単ＵＩ３００に切替える（ステップＳ１１２０）。画像形成装置１００は、ＵＩ画面の切替前に機能の設定がされていたか否かを判定する。ここでは、「設定Ｂ」キー２２２に対応する機能が設定されているため、画像形成装置１００は、ＵＩ画面の切替前に機能の設定がされていたと判定する（ステップＳ１１３０においてＹＥＳ）。画像形成装置１００は、ＵＩ画面の切替前に機能の設定がされていたと判定すると、その機能の設定状態を保持する（ステップＳ１１４０）。すなわち、「設定Ｂ」キー２２２に対応する機能が設定された後に「切替」キー２６０が操作されると、画像形成装置１００は設定を保持したままＵＩ画面を通常ＵＩ２００から簡単ＵＩ３００に切替える。同様に、簡単ＵＩ３００において機能が設定された後に「切替」キー３３０が操作された場合も、画像形成装置１００は設定を保持したままＵＩ画面を簡単ＵＩ３００から通常ＵＩ２００に切替える。なお、図７では、設定キーの反転表示によって機能が設定されていることが示されている。
【００６３】
通常ＵＩ２００では、簡単ＵＩ３００に比べて多くの機能が設定可能である。そのため、通常ＵＩ２００において、簡単ＵＩ３００では設定できない機能（例えば「設定Ｄ」キー２２６に対応する機能等）が設定された後にＵＩ画面が簡単ＵＩ３００に切替えられることもあり得る。本実施の形態では、こうした場合でも、通常ＵＩ２００の設定を保持したまま、ＵＩ画面が簡単ＵＩ３００に切替えられる。すなわち、簡単ＵＩ３００において設定が省略された機能はデフォルトに設定されており、そうした機能が通常ＵＩ２００で設定されると、簡単ＵＩ３００に切替えられた際にデフォルトの設定が変更される。
【００６４】
画像形成装置１００は、コピー開始の指示入力を受付けると、コピー印刷を開始する（ステップＳ１１５０）。設定キーの操作によって所望の機能が設定されている場合、画像形成装置１００は、その設定に応じたコピー印刷を実行する。例えば、両面コピーが設定されている場合は、画像形成装置１００は両面コピー印刷を実行する。コピー印刷が終了すると（ステップＳ１１６０においてＹＥＳ）、コピー開始前の状態となる。ユーザによってホームキーが操作されると（ステップＳ１０２０においてＹＥＳ）、タッチパネルディスプレイ１２２の表示画面がホーム画面に移行する（ステップＳ１０３０）。ホーム画面に移行すると、コピーモードにおいて設定された機能が解除（リセット）（ステップＳ１０４０）される。
【００６５】
［作用・効果］
以上の説明から明らかなように、本実施の形態に係る画像形成装置１００を利用することにより、以下に述べる効果を奏する。
【００６６】
本画像形成装置１００では、操作ユニット１２０において、ユーザによる指示入力を受付けたことに応答して、表示されているＵＩ画面が、通常ＵＩ２００及び簡単ＵＩ３００の一方から他方に切替えられる。ＵＩ画面を切替える際に、切替専用の画面等（例えばホーム画面等）を経由しないため、切替時の手間を減らすことができる。加えて任意のタイミングでＵＩ画面を切替えることができる。そのため、ユーザがいずれのＵＩ画面を選んでよいか分からない場合でも、ＵＩ画面を容易に切替えることができるので、当該ユーザに適したＵＩ画面を容易に選択できる。
【００６７】
簡単ＵＩ３００に必要な機能がないため簡単ＵＩ３００から通常ＵＩ２００にＵＩ画面を切替えたい、又は、通常ＵＩ２００では機能が多すぎてどの機能が必要か分かりにくいため簡単ＵＩ３００を使用したい等の理由により、設定の途中であってもＵＩ画面の切替が必要となる場合がある。本画像形成装置１００では、ＵＩ画面の切替前に機能の設定がされていたか否かを判定する。機能が設定されている場合、切替えられた後のＵＩ画面においても、その設定がクリア（解除）されることなく保持される。そのため、表示を切替えた後のＵＩ画面において最初から設定等を行なう必要がない。このように、本画像形成装置１００は、煩雑で手間がかかる操作を要することなく、ＵＩ画面を切替えることができる。加えて、設定のやり直しを行なう必要もない。したがって、ユーザの使い勝手が向上する。
【００６８】
（第２の実施の形態）
本実施の形態に係る画像形成装置は、簡単ＵＩでは設定できない機能が設定されている場合に、設定された機能が簡単ＵＩで確認できる点において、第１の実施の形態に係る画像形成装置１００とは異なる。その他の点では、各画像形成装置は同一の構成である。
【００６９】
本実施の形態に係る画像形成装置は、通常ＵＩから簡単ＵＩへの切替の際に、簡単ＵＩでは設定できない機能が設定されているか否かを判定する。画像形成装置は、こうした機能が設定されていると判定した場合、簡単ＵＩにそのことを示すアイコンを表示する。
【００７０】
図８を参照して、本実施の形態では、簡単ＵＩ３００（図４参照）に代えて簡単ＵＩ４００が表示される。簡単ＵＩ４００は簡単ＵＩ３００とほぼ同じ構成である。ただし、通常ＵＩ２００において簡単ＵＩ４００では設定できない機能が設定されていると、簡単ＵＩ４００に切替えられた際に、簡単ＵＩ４００にアイコン４１０が表示される。図９を参照して、このアイコン４１０がユーザに操作されるとポップアップ画面４２０が表示され、そのポップアップ画面４２０内に、通常ＵＩ２００で設定された、簡単ＵＩ４００では設定できない機能が表示される。図９には、通常ＵＩ２００（図３参照）における「設定Ｇ」キー２３４に対応する機能、及び「設定Ｋ」キー２４２に対応する機能が設定されている例が示されている。
【００７１】
図１０を参照して、より具体的に説明する。通常ＵＩ２００において「設定Ｇ」キー２３４、及び「設定Ｋ」キー２４２が操作され、その後、簡単ＵＩ４００にＵＩ画面が切替えられたものとする。簡単ＵＩ４００には、「設定Ｇ」キー２３４、及び「設定Ｋ」キー２４２に対応する機能がない。画像形成装置は、簡単ＵＩ４００では設定できない機能が設定されていると判定すると、簡単ＵＩ４００の所定の領域にアイコン４１０を表示する。ユーザは、このアイコン４１０を操作することによって、設定されている機能の詳細を確認できる。
【００７２】
このように、通常ＵＩ２００から簡単ＵＩ４００への切替の際に、通常ＵＩ２００で設定された機能に対応する機能が簡単ＵＩ４００にない場合でも、その設定内容（変更内容）が簡単ＵＩ４００に表示されることにより、ユーザの意図とは異なる設定が適用されるのを避けることができる。加えて、設定を確認するために、ＵＩ画面を通常ＵＩ２００に切替える必要もなくなる。これにより、ユーザの使い勝手がより向上する。
【００７３】
（第３の実施の形態）
本実施の形態に係る画像形成装置は、簡単ＵＩでは設定できない機能が設定されている場合に、簡単ＵＩにおいて当該機能の設定を解除することが可能である点において、第２の実施の形態に係る画像形成装置と異なる。その他の点では、各画像形成装置は同一の構成である。
【００７４】
本画像形成装置は、第２の実施の形態と同様、通常ＵＩから簡単ＵＩへの切替の際に、簡単ＵＩでは設定できない機能が設定されているか否かを判定する。図１１を参照して、画像形成装置は、こうした機能が設定されていると判定した場合、簡単ＵＩ５００にそのことを示すアイコン５１０を表示する。このアイコン５１０がユーザに操作されるとポップアップ画面５２０が表示され、そのポップアップ画面５２０内に、通常ＵＩ２００で設定された、簡単ＵＩ５００では設定できない機能が表示される。本実施の形態では、ポップアップ画面５２０内に、通常ＵＩ２００で設定された、簡単ＵＩ５００では設定できない機能の設定を解除する「リセット」キー５３０が表示される。この「リセット」キー５３０が操作されると、通常ＵＩ２００で設定された、簡単ＵＩ５００では設定できない機能の設定が一括して解除（リセット）される。
【００７５】
図１１には、通常ＵＩ２００（図３参照）における「設定Ｇ」キー２３４に対応する機能、及び「設定Ｋ」キー２４２に対応する機能が設定されている例が示されている。「リセット」キー５３０が操作されると、「設定Ｇ」キー２３４に対応する機能、及び「設定Ｋ」キー２４２に対応する機能の設定が解除される。なお、ポップアップ画面５２０内に表示されている機能以外の機能については、「リセット」キー５３０の操作によって解除されない。簡単ＵＩ５００のその他の構成は、図８に示される簡単ＵＩ４００の構成と同様である。
【００７６】
このように、簡単ＵＩ５００に「リセット」キー５３０を設けることによって、設定を解除するためにＵＩ画面を通常ＵＩ２００に切替える必要がなくなる。そのため、ユーザの使い勝手がさらに向上する。
【００７７】
（第４の実施の形態）
本実施の形態に係る画像形成装置は、簡単ＵＩでは設定できない機能が設定されている場合に、簡単ＵＩにおいて当該機能の設定を解除することが可能である点において、第２の実施の形態に係る画像形成装置と異なる。その他の点では、各画像形成装置は同一の構成である。
【００７８】
本画像形成装置は、第２の実施の形態と同様、通常ＵＩから簡単ＵＩへの切替の際に、簡単ＵＩでは設定できない機能が設定されているか否かを判定する。図１２を参照して、画像形成装置は、こうした機能が設定されていると判定した場合、簡単ＵＩ６００にそのことを示すアイコン４１０を表示する。
【００７９】
簡単ＵＩ６００は、通常ＵＩ２００で設定された、簡単ＵＩ６００では設定できない機能の設定を解除する「リセット」キー６１０を含む。この「リセット」キー６１０は、簡単ＵＩ６００の表示画面の所定領域に表示されている。本実施の形態に係る画像形成装置は、この点において、「リセット」キー６１０と同じ機能を持つ「リセット」キー５３０がポップアップ画面５２０内に表示される、第３の実施の形態とも異なる。簡単ＵＩ６００のその他の構成は、図８に示される簡単ＵＩ４００の構成と同様である。
【００８０】
なお、「リセット」キー６１０は、簡単ＵＩ６００の表示画面に常に表示される構成であってもよいし、アイコン４１０が表示されたときに表示される構成であってもよい。
【００８１】
（第５の実施の形態）
本実施の形態に係る画像形成装置は、通常ＵＩと簡単ＵＩとの双方で設定可能な機能が設定された場合にのみ、ＵＩ画面の切替時に当該機能の設定を保持する点において、第１の実施の形態に係る画像形成装置１００と異なる。その他の点では、各画像形成装置は同一の構成である。
【００８２】
本画像形成装置は、ＵＩ画面の切替前に、通常ＵＩと簡単ＵＩとの双方で設定可能な機能（共通する機能）が設定されているか否かを判定する。画像形成装置は、共通する機能が設定されていると判定すると、設定された共通する機能の設定状態を保持する。
【００８３】
［ソフトウェア構成］
本実施の形態に係る画像形成装置では、図５に示されるプログラムに代えて、図１３に示されるプログラムが実行される。図１３のプログラムは、図５のステップＳ１０１０に代えて、ステップＳ２０１０を含む。ステップＳ１０００、及びステップＳ１０２０〜ステップＳ１０４０における処理は、図５に示される各ステップにおける処理と同じである。
【００８４】
図１４は、図１３のステップＳ２０１０の詳細なフローである。図１４を参照して、このルーチンは、図６のステップＳ１１３０及びステップＳ１１４０に代えて、それぞれ、ステップＳ２１００及びステップＳ２１１０を含む。ステップＳ１１００〜ステップＳ１１２０、ステップＳ１１５０、及びステップＳ１１６０における処理は、図５に示される各ステップにおける処理と同じである。以下、異なる部分について説明する。
【００８５】
図１４を参照して、このルーチンは、ステップＳ１１２０の後に実行され、ＵＩ画面の切替前に共通する機能の設定がされていたか否かを判定し判定結果に応じて制御の流れを分岐させるステップＳ２１００と、ステップＳ２１００において、共通する機能の設定がされていたと判定された場合に実行され、当該機能の設定を保持し、このルーチンを終了するステップＳ２１１０とを含む。ステップＳ２１００において、共通する機能の設定がされていないと判定された場合もこのルーチンは終了する。
【００８６】
［作用・効果］
画像形成装置は、ＵＩ画面の切替時に、通常ＵＩと簡単ＵＩとの双方で設定可能な機能が設定されている場合にのみ、その機能の設定を保持する。一方のＵＩ画面（例えば通常ＵＩ）でのみ設定可能な機能が設定されている場合は、ＵＩ画面の切替時にその機能の設定が解除される。通常ＵＩ及び簡単ＵＩの両方で確認できる機能のみ設定が保持されるため、これによっても、ユーザの意図とは異なる設定が適用されるのを避けることができる。
【００８７】
（変形例）
上記実施の形態では、画像形成装置の一例である複合機（ＭＦＰ）に本発明を適用した例について示したが、本発明はそのような実施の形態には限定されない。画像形成装置は複合機以外の装置であってもよい。例えば、コピー機、プリンタ等の画像形成装置であってもよい。また上記実施の形態では、操作ユニットは画像形成装置に備えられたが、本発明はそのような実施の形態に限定されない。操作ユニットは、他の電子機器に備えられてもよい。他の電子機器としては、例えば、スキャナ装置等がある。
【００８８】
上記実施の形態では、通常ＵＩ及び簡単ＵＩの２つのＵＩ画面を交互に切替える例について示したが、本発明はそのような実施の形態には限定されない。例えば３つ以上のＵＩ画面を互いに切替える構成としてもよい。
【００８９】
上記実施の形態では、選択された動作モードがコピーモードの場合にＵＩ画面を切替える例について示したが、ＵＩ画面の切替は各動作モードにおいて行なうことができる。なお、一部の動作モードにおいては、ＵＩ画面を切替えない構成としてもよい。
【００９０】
上記実施の形態では、ＵＩ画面を切替える「切替」キーを各ＵＩ画面にソフトウェアキーとして表示する例について示したが、本発明はそのような実施の形態には限定されない。例えば、「切替」キーはハードウェアキーであってもよい。さらに、タッチパネルディスプレイに対するジェスチャー操作（例えばフリック操作等）によりＵＩ画面を切替える構成でもよいし、音声によりＵＩ画面を切替える構成でもよい。なお「切替」キーがソフトウェアキーの場合、各ＵＩ画面の「切替」キーは、機能が設定されたときに表示、又は有効化される構成でもよい。
【００９１】
上記実施の形態では、「リセット」キー５３０又は「リセット」キー６１０の操作により、通常ＵＩで設定された、簡単ＵＩでは設定できない機能の設定を一括して解除する例について示したが、本発明はそのような実施の形態には限定されない。例えば、ポップアップ画面内に、通常ＵＩで設定された、簡単ＵＩでは設定できない機能を、操作可能なソフトウェアキーとして表示し、各機能のソフトウェアキーを操作することにより、個別に、ポップアップ画面内に表示された機能を解除する構成としてもよい。
【００９２】
上記実施の形態では、タッチパネルディスプレイを含む操作ユニットについて示したが、本発明はそのような実施の形態には限定されない。操作ユニットは、タッチパネルディスプレイ以外のディスプレイ（表示パネル）を含む構成であってもよい。例えば、ディスプレイに表示される情報に対する指示入力をハードウェアキー等により行なうよう構成されていてもよい。
【００９３】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９４】
１００                                画像形成装置
１１０                                制御部
１２０                                操作ユニット
１２２                                タッチパネルディスプレイ
１２４                                表示パネル
１２６                                タッチパネル
１３０                                原稿読取部
１４０                                画像処理部
１５０                                画像形成部
１６０                                給紙部
１７０                                ネットワークＩ／Ｆ
１８０                                ＦＡＸ通信部
２００                                通常ＵＩ
２６０、３３０                        「切替」キー
３００、４００、５００、６００        簡単ＵＩ
４１０、５１０                        アイコン
４２０、５２０                        ポップアップ画面
５３０、６１０                        「リセット」キー
【図１】
2018147512.tif 000003
【図２】
2018147512.tif 000004
【図３】
2018147512.tif 000005
【図４】
2018147512.tif 000006
【図５】
2018147512.tif 000007
【図６】
2018147512.tif 000008
【図７】
2018147512.tif 000009
【図８】
2018147512.tif 000010
【図９】
2018147512.tif 000011
【図１０】
2018147512.tif 000012
【図１１】
2018147512.tif 000013
【図１２】
2018147512.tif 000014
【図１３】
2018147512.tif 000015
【図１４】
2018147512.tif 000016